(57)【要約】      （修正有）【課題】回路部品での損失の低減を図りやすくすることが可能な電源装置を提供する。【解決手段】電源装置１００は、コンバータ１１と、制御部１２と、を備える。コンバータ１１は、インダクタＬ１、スイッチング素子Ｑ１、及び整流用スイッチング素子Ｑ２を有する。制御部１２は、スイッチング素子Ｑ１がオンのときに整流用スイッチング素子Ｑ２をオフ、スイッチング素子Ｑ１がオフのときに整流用スイッチング素子Ｑ２をオンする。制御部１２は、第１期間及び第２期間の少なくとも一方にて、スイッチング素子Ｑ１及び整流用スイッチング素子Ｑ２をオフする。第１期間は、スイッチング素子Ｑ１がオフした時点から第１時間が経過するまでの期間である。第２期間は、整流用スイッチング素子Ｑ２がオフした時点から第２時間が経過するまでの期間である。【選択図】図１
2019103182.tif 000002
【特許請求の範囲】
【請求項１】
第１端が一対の入力端のうちの一方に電気的に接続されるインダクタ、前記インダクタの第２端と前記一対の入力端のうちの他方との間に電気的に接続されるスイッチング素子、及び前記インダクタから一対の出力端へ流れる電流を一方向に制限する機能を有する整流用スイッチング素子を有するコンバータと、
前記スイッチング素子及び前記整流用スイッチング素子を制御する制御部と、を備え、
前記制御部は、前記スイッチング素子を流れる電流の大きさが、前記コンバータの入力電圧の波形に応じて変化する閾値以上になると、前記スイッチング素子をオフし、
前記制御部は、前記スイッチング素子がオンのときに前記整流用スイッチング素子をオフ、前記スイッチング素子がオフのときに前記整流用スイッチング素子をオンし、
前記制御部は、前記スイッチング素子がオフした時点から第１時間が経過するまでの第１期間、及び前記整流用スイッチング素子がオフした時点から第２時間が経過するまでの第２期間の少なくとも一方にて、前記スイッチング素子及び前記整流用スイッチング素子の両方をオフする
電源装置。
【請求項２】
前記制御部は、前記第２期間の長さを変化させて前記スイッチング素子及び前記整流用スイッチング素子を制御するモードを有する
請求項１記載の電源装置。
【請求項３】
前記制御部は、前記モードにおいて、前記コンバータの出力に応じて前記第２期間の長さを変化させる
請求項２記載の電源装置。
【請求項４】
前記制御部は、前記インダクタを流れる電流が零となるタイミングを判断する判断処理を実行する
請求項１〜３のいずれか１項に記載の電源装置。
【請求項５】
請求項１〜４のいずれか１項に記載の電源装置を有し、固体発光素子を有する光源部を点灯させるための電力を出力する
点灯装置。
【請求項６】
請求項５記載の点灯装置と、
前記点灯装置の出力する電力により点灯可能な前記光源部と、を備える
照明器具。
【請求項７】
第１端が一対の入力端のうちの一方に電気的に接続されるインダクタ、前記インダクタの第２端と前記一対の入力端のうちの他方との間に電気的に接続されるスイッチング素子、及び前記インダクタから一対の出力端へ流れる電流を一方向に制限する機能を有する整流用スイッチング素子を有するコンバータの制御方法であって、
前記スイッチング素子を流れる電流の大きさが、前記コンバータの入力電圧の波形に応じて変化する閾値以上になると、前記スイッチング素子をオフする処理と、
前記スイッチング素子がオンのときに前記整流用スイッチング素子をオフ、前記スイッチング素子がオフのときに前記整流用スイッチング素子をオンする処理と、
前記スイッチング素子がオフした時点から第１時間が経過するまでの第１期間、及び前記整流用スイッチング素子がオフした時点から第２時間が経過するまでの第２期間の少なくとも一方にて、前記スイッチング素子及び前記整流用スイッチング素子の両方をオフする処理と、を含む制御方法を、
コンピュータシステムに実行させるための
プログラム。
【発明の詳細な説明】
【技術分野】
【０００１】
本開示は、一般に電源装置、及びそれを用いた点灯装置、照明器具、並びにプログラムに関し、より詳細には、入力電圧を出力電圧に変換して出力する電源装置、及びそれを用いた点灯装置、照明器具、並びにプログラムに関する。
【背景技術】
【０００２】
従来、光源部を点灯させる電源装置が知られており、例えば特許文献１に開示されている。特許文献１に記載の電源装置は、コンバータと、制御部と、を備えている。コンバータは、一対の入力端子、一対の出力端子、トランス、コンデンサ、ダイオード、及びスイッチング素子を有する。制御部は、スイッチング素子を制御する。一対の入力端子間には、コンデンサが電気的に接続されている。コンバータは、スイッチング素子のスイッチング動作により、コンデンサの両端電圧を直流の出力電圧に変換して、一対の出力端子から出力電圧を出力するように構成されている。
【先行技術文献】
【特許文献】
【０００３】
【特許文献１】特開２０１７−２２９６０号公報
【発明の概要】
【発明が解決しようとする課題】
【０００４】
特許文献１に記載の電源装置では、回路部品での損失の低減を図りにくい、という問題があった。
【０００５】
本開示は、上記の点に鑑みてなされており、回路部品での損失の低減を図りやすい電源装置、及びそれを用いた点灯装置、照明器具、並びにプログラムを提供することを目的とする。
【課題を解決するための手段】
【０００６】
本開示の一態様に係る電源装置は、コンバータと、制御部と、を備える。前記コンバータは、インダクタ、スイッチング素子、及び整流用スイッチング素子を有する。前記インダクタは、第１端が一対の入力端のうちの一方に電気的に接続される。前記スイッチング素子は、前記インダクタの第２端と前記一対の入力端のうちの他方との間に電気的に接続される。前記整流用スイッチング素子は、前記インダクタから一対の出力端へ流れる電流を一方向に制限する機能を有する。前記制御部は、前記スイッチング素子及び前記整流用スイッチング素子を制御する。前記制御部は、前記スイッチング素子を流れる電流の大きさが、前記コンバータの入力電圧の波形に応じて変化する閾値以上になると、前記スイッチング素子をオフする。また、前記制御部は、前記スイッチング素子がオンのときに前記整流用スイッチング素子をオフ、前記スイッチング素子がオフのときに前記整流用スイッチング素子をオンする。また、制御部は、第１期間及び第２期間の少なくとも一方にて、前記スイッチング素子及び前記整流用スイッチング素子の両方をオフする。前記第１期間は、前記スイッチング素子がオフした時点から第１時間が経過するまでの期間である。前記第２期間は、前記整流用スイッチング素子がオフした時点から第２時間が経過するまでの期間である。
【０００７】
本開示の一態様に係る点灯装置は、上記の電源装置を有し、固体発光素子を有する光源部を点灯させるための電力を出力する。
【０００８】
本開示の一態様に係る照明器具は、上記の点灯装置と、前記点灯装置の出力する電力により点灯可能な前記光源部と、を備える。
【０００９】
本開示の一態様に係るプログラムは、インダクタ、スイッチング素子、及び整流用スイッチング素子を有するコンバータの制御方法を、コンピュータシステムに実行させるためのプログラムである。前記インダクタは、第１端が一対の入力端のうちの一方に電気的に接続される。前記スイッチング素子は、前記インダクタの第２端と前記一対の入力端のうちの他方との間に電気的に接続される。前記整流用スイッチング素子は、前記インダクタから一対の出力端へ流れる電流を一方向に制限する機能を有する。前記制御方法は、前記スイッチング素子を流れる電流の大きさが、前記コンバータの入力電圧の波形に応じて変化する閾値以上になると、前記スイッチング素子をオフする処理を含む。また、前記制御方法は、前記スイッチング素子がオンのときに前記整流用スイッチング素子をオフ、前記スイッチング素子がオフのときに前記整流用スイッチング素子をオンする処理を含む。また、前記制御方法は、第１期間及び第２期間の少なくとも一方にて、前記スイッチング素子及び前記整流用スイッチング素子の両方をオフする処理を含む。前記第１期間は、前記スイッチング素子がオフした時点から第１時間が経過するまでの期間である。前記第２期間は、前記整流用スイッチング素子がオフした時点から第２時間が経過するまでの期間である。
【発明の効果】
【００１０】
本開示は、回路部品での損失の低減を図りやすい、という利点がある。
【図面の簡単な説明】
【００１１】
【図１】図１は、本開示の一実施形態に係る電源装置及び点灯装置の回路図である。
【図２】図２は、同上の電源装置の電流臨界モードでの動作を示すフローチャートである。
【図３】図３は、同上の電源装置の電流臨界モードでの動作を示すタイミングチャートである。
【図４】図４は、同上の点灯装置を備えた照明器具の斜視図である。
【図５】図５は、本開示の一実施形態の変形例に係る電源装置における、電流不連続モードでの動作を示すタイミングチャートである。
【図６】図６は、本開示の一実施形態の他の変形例に係る電源装置及び点灯装置の回路図である。
【図７】図７及び図７Ｂは、それぞれ同上の電源装置における判断処理の概要を説明するための波形図である。
【図８】図８は、同上の電源装置の動作を示すフローチャートである。
【発明を実施するための形態】
【００１２】
（１）概要
以下、実施形態に係る電源装置１００及び点灯装置２００について図１を用いて説明する。本実施形態の点灯装置２００は、電源装置１００を備えており、光源部３００に電力を供給することにより光源部３００を点灯させるように構成されている。言い換えれば、点灯装置２００は、電源装置１００を有し、光源部３００を点灯させるための電力を出力するように構成されている。
【００１３】
光源部３００は、複数の固体発光素子３１を備えている。本実施形態では、複数の固体発光素子３１の各々は、ＬＥＤ（Light Emitting Diode）である。複数の固体発光素子３１の電気的な接続関係は、直列接続である。複数の固体発光素子３１の各々の発光色は、例えば白色である。
【００１４】
電源装置１００は、コンバータ１１と、制御部１２と、を備えている。コンバータ１１は、昇圧チョッパ回路であり、力率改善機能を有するＰＦＣ（Power Factor Correction）回路である。コンバータ１１は、インダクタＬ１、スイッチング素子Ｑ１、及び整流用スイッチング素子Ｑ２を有する。インダクタＬ１は、第１端が一対の入力端１ａ，１ｂのうちの一方（ここでは、入力端１ａ）に電気的に接続される。スイッチング素子Ｑ１は、インダクタＬ１の第２端と一対の入力端１ａ，１ｂのうちの他方（ここでは、入力端１ｂ）との間に電気的に接続される。整流用スイッチング素子Ｑ２は、インダクタＬ１から一対の出力端１ｃ，１ｄへ流れる電流を一方向に制限する機能を有する。制御部１２は、スイッチング素子Ｑ１及び整流用スイッチング素子Ｑ２を制御する。
【００１５】
制御部１２は、スイッチング素子Ｑ１を流れる電流ＩＱ１（図３参照）の大きさが、コンバータ１１の入力電圧Ｖ１の波形に応じて変化する閾値Ｔｈ１（図３参照）以上になると、スイッチング素子Ｑ１をオフする。また、制御部１２は、スイッチング素子Ｑ１がオンのときに整流用スイッチング素子Ｑ２をオフ、スイッチング素子Ｑ１がオフのときに整流用スイッチング素子Ｑ２をオンする。
【００１６】
そして、制御部１２は、第１期間ＤＴ１及び第２期間（ＤＴ２）の少なくとも一方（本実施形態では、両方）にて、スイッチング素子Ｑ１及び整流用スイッチング素子Ｑ２の両方をオフする（図３参照）。第１期間ＤＴ１は、スイッチング素子Ｑ１がオフした時点から第１時間が経過するまでの期間である。第２期間ＤＴ２は、整流用スイッチング素子Ｑ２がオフした時点から第２時間が経過するまでの期間である。
【００１７】
上述のように、本実施形態では、スイッチング素子Ｑ１及び整流用スイッチング素子Ｑ２の両方がオンとなるのを防ぎつつ、整流用スイッチング素子Ｑ２を整流素子として機能させることが可能である。つまり、本実施形態では、制御部１２は、ＰＦＣ回路であるコンバータ１１にて、ダイオードの代わりに整流用スイッチング素子Ｑ２を用いた同期整流方式でスイッチング素子Ｑ１及び整流用スイッチング素子Ｑ２を制御している。このため、本実施形態では、回路部品（ここでは、整流用スイッチング素子Ｑ２）での損失の低減を図りやすい、という利点がある。
【００１８】
（２）詳細
以下、本実施形態の電源装置１００及び点灯装置２００について図１を用いて詳細に説明する。点灯装置２００は、電源装置１００と、ダイオードブリッジ１０１と、降圧コンバータ１０２と、を備えている。
【００１９】
ダイオードブリッジ１０１の一対の入力端は、交流電源Ｐ１と電気的に接続される。交流電源Ｐ１は、所定範囲内（例えば、９０〜２７０Ｖ）の交流電圧を出力するように構成されている。言い換えれば、ダイオードブリッジ１０１の一対の入力端間には、所定範囲内の交流電圧が印加されるように構成されている。ダイオードブリッジ１０１は、交流電源Ｐ１からの交流電圧を全波整流し、整流後の脈流電圧を電源装置１００に出力する。
【００２０】
電源装置１００は、コンバータ１１と、制御部１２と、を備えている。コンバータ１１は、インダクタＬ１と、補助巻線Ｌ２と、入力コンデンサＣ１と、出力コンデンサＣ２と、を有している。また、コンバータ１１は、スイッチング素子Ｑ１と、整流用スイッチング素子Ｑ２と、を更に有している。
【００２１】
コンバータ１１の一対の入力端１ａ，１ｂ間には、入力コンデンサＣ１が電気的に接続されている。コンバータ１１の一対の出力端１ｃ，１ｄ間には、出力コンデンサＣ２が電気的に接続されている。また、一対の出力端１ｃ，１ｄには、降圧コンバータ１０２の一対の入力端が電気的に接続されている。
【００２２】
入力コンデンサＣ１の高電位側の一端には、インダクタＬ１の第１端が電気的に接続されている。インダクタＬ１の第２端には、スイッチング素子Ｑ１及び整流用スイッチング素子Ｑ２が電気的に接続されている。また、インダクタＬ１には、補助巻線Ｌ２が磁気的に結合している。
【００２３】
スイッチング素子Ｑ１及び整流用スイッチング素子Ｑ２は、いずれもエンハンスメント型のｎチャネルＭＯＳＦＥＴ（Metal Oxide Semiconductor Field Effect Transistor）である。
【００２４】
スイッチング素子Ｑ１のドレインは、インダクタＬ１の第２端、及び整流用スイッチング素子Ｑ２のソースに電気的に接続されている。スイッチング素子Ｑ１のソースは、入力コンデンサＣ１の低電位側の一端、及び出力コンデンサＣ２の低電位側の一端に電気的に接続されている。整流用スイッチング素子Ｑ２のドレインは、出力コンデンサＣ２の高電位側の一端に電気的に接続されている。スイッチング素子Ｑ１のゲート、及び整流用スイッチング素子Ｑ２のゲートには、それぞれ制御部１２から個別に駆動信号が与えられる。したがって、スイッチング素子Ｑ１及び整流用スイッチング素子Ｑ２は、制御部１２により個別にオン／オフを制御される。
【００２５】
整流用スイッチング素子Ｑ２は、オン状態において、インダクタＬ１を介して流れる電流（以下、「インダクタ電流」ともいう）ＩＬ１が流れるのを許容する。一方、整流用スイッチング素子Ｑ２は、オフ状態において、インダクタ電流ＩＬ１、及びインダクタ電流ＩＬ１と逆向きの電流が流れるのを阻止する。つまり、整流用スイッチング素子Ｑ２は、インダクタＬ１から一対の出力端１ｃ，１ｄへ流れる電流（インダクタ電流ＩＬ１）を一方向に制限する機能を有している。
【００２６】
制御部１２は、マイクロコンピュータを主構成とし、マイクロコンピュータのメモリに記録されたプログラムを、マイクロコンピュータのプロセッサで実行することにより、コンバータ１１の制御を行う。プログラムはメモリに予め記録されていてもよいし、インターネットなどの電気通信回線を通して提供されてもよく、メモリカードなどの記録媒体に記録されて提供されてもよい。
【００２７】
制御部１２は、スイッチング素子Ｑ１及び整流用スイッチング素子Ｑ２にそれぞれ駆動信号を与えることにより、スイッチング素子Ｑ１及び整流用スイッチング素子Ｑ２を制御するように構成されている。具体的には、制御部１２は、スイッチ電流ＩＱ１、入力電圧Ｖ１、誘起電圧ＶＬ２、及び出力電圧Ｖ２の検知結果に基づいて、スイッチング素子Ｑ１及び整流用スイッチング素子Ｑ２を制御する。スイッチ電流ＩＱ１は、スイッチング素子Ｑ１を流れる電流である。入力電圧Ｖ１は、ダイオードブリッジ１０１の出力電圧であり、電源装置１００への入力電圧である。誘起電圧ＶＬ２は、インダクタＬ１に電流が流れることにより補助巻線Ｌ２に誘起される電圧である。出力電圧Ｖ２は、降圧コンバータ１０２の出力電圧である。スイッチ電流ＩＱ１は、例えばシャント抵抗などの適宜の電流検知回路を用いて検知する。入力電圧Ｖ１及び出力電圧Ｖ２は、例えば分圧抵抗回路などの適宜の電圧検知回路を用いて検知する。誘起電圧ＶＬ２は、制御部１２（ここでは、マイクロコンピュータ）のポートに入力することで、制御部１２にて検知する。
【００２８】
本実施形態では、制御部１２は、基本的に、スイッチング素子Ｑ１及び整流用スイッチング素子Ｑ２を電流臨界モードで動作（スイッチング動作）させるように構成されている。本開示でいう「電流臨界モード」は、インダクタ電流ＩＬ１が零となるタイミングでスイッチング素子Ｑ１をオンし、インダクタ電流ＩＬ１が零となる期間が極力発生しないようにスイッチング素子Ｑ１及び整流用スイッチング素子Ｑ２を制御するモードである。ここで、電流臨界モードでは、例えば図３に示すように、必ずしもインダクタ電流ＩＬ１が零となる期間が発生しないわけではない。この期間は、後述するデッドタイム（第１期間ＤＴ１及び第２期間ＤＴ２）を設けることで生じ得る期間である。
【００２９】
コンバータ１１は、制御部１２によるスイッチング素子Ｑ１及び整流用スイッチング素子Ｑ２の動作により、一対の入力端１ａ，１ｂに入力される入力電圧を出力電圧に変換し、変換した出力電圧を一対の出力端１ｃ，１ｄから出力するように構成されている。コンバータ１１の動作については、後述する「（３）動作」にて詳細に説明する。
【００３０】
降圧コンバータ１０２は、ＤＣ／ＤＣコンバータであって、電源装置１００の一対の出力端１ｃ，１ｄと、光源部３００との間に電気的に接続されている。降圧コンバータ１０２は、電源装置１００からの出力電圧（直流電圧）を所定の大きさの直流電圧に降圧し、降圧した直流電圧を光源部３００に出力するように構成されている。
【００３１】
上述のように、点灯装置２００は、ダイオードブリッジ１０１、電源装置１００、及び降圧コンバータ１０２により、交流電源Ｐ１からの交流電圧を所定の大きさの直流電圧に変換し、変換した直流電圧を光源部３００に供給する。これにより、光源部３００の複数の固体発光素子３１に所定の大きさの電流（以下、「負荷電流」ともいう）が流れ、複数の固体発光素子３１が発光することにより、光源部３００が点灯する。
【００３２】
ここで、点灯装置２００は、例えばＰＷＭ（Pulse Width Modulation）制御によって降圧コンバータ１０２の出力電圧Ｖ２を調整することで、負荷電流を調整することが可能である。つまり、点灯装置２００は、負荷電流を調整することで光源部３００の光出力を調整することが可能である。
【００３３】
（３）動作
以下、本実施形態の電源装置１００の動作、主としてコンバータ１１の動作について、図１〜図３を用いて説明する。図３において、“ＩＬ１”はインダクタ電流ＩＬ１の波形、“ＩＱ１”はスイッチ電流ＩＱ１の波形、“ＩＱ２”は整流用スイッチング素子Ｑ２を流れる電流ＩＱ２の波形、“ＶＬ２”は誘起電圧ＶＬ２の波形を表している。また、図３において、“Ｑ１”はスイッチング素子Ｑ１のオン／オフの状態、“Ｓ１”は後述するカウント時間の終了タイミング、“Ｑ２”は整流用スイッチング素子Ｑ２のオン／オフの状態を表している。なお、“Ｓ１”においては、パルスの立ち上がりにより、カウント時間の終了タイミングを表している。
【００３４】
まず、制御部１２は、時刻ｔ０にてスイッチング素子Ｑ１をオンすることにより、コンバータ１１の動作を開始する（ステップＳ１）。スイッチング素子Ｑ１がオフ状態からオン状態になると、入力コンデンサＣ１の高電位側の一端、インダクタＬ１、スイッチング素子Ｑ１、及び入力コンデンサＣ１の低電位側の一端を通る経路で電流が流れ始める。つまり、スイッチング素子Ｑ１がオンになると、インダクタ電流ＩＬ１（またはスイッチ電流ＩＱ１）が流れ始める。そして、インダクタＬ１にエネルギーが蓄積される。
【００３５】
インダクタ電流ＩＬ１（スイッチ電流ＩＱ１）は、時間経過に伴って大きくなる。そして、時刻ｔ１にて、インダクタ電流ＩＬ１（スイッチ電流ＩＱ１）の大きさが閾値Ｔｈ１以上になると（ステップＳ２：Ｙｅｓ）、制御部１２は、スイッチング素子Ｑ１をオフする（ステップＳ３）。ここで、閾値Ｔｈ１は、制御部１２にて予め設定してあるパラメータである。本実施形態では、閾値Ｔｈ１は一定値ではなく、入力電圧Ｖ１の大きさに応じて変化する。
【００３６】
つまり、本実施形態では、制御部１２は、スイッチング素子Ｑ１を流れる電流ＩＱ１（インダクタ電流ＩＬ１）の大きさが、入力電圧Ｖ１の波形（大きさ）に応じて変化する閾値Ｔｈ１以上になると、スイッチング素子Ｑ１をオフする。このように、本実施形態では、入力電圧Ｖ１の波形に応じてインダクタＬ１に三角波状に電流を流し、インダクタ電流ＩＬ１の平均値が正弦波になるように制御することで、電圧（入力電圧Ｖ１）と電流（インダクタ電流ＩＬ１）の位相のずれを補正している。
【００３７】
また、本実施形態では、閾値Ｔｈ１の最大値は、降圧コンバータ１０２の出力電圧Ｖ２の大きさに応じて変化する。出力電圧Ｖ２の大きさに応じて光源部３００を流れる負荷電流の大きさが変化するので、負荷電流の大きさに合わせてインダクタ電流ＩＬ１の大きさを調整するためである。具体的には、制御部１２は、出力電圧Ｖ２が大きくなると閾値Ｔｈ１の最大値を大きくし、出力電圧Ｖ２が小さくなると閾値Ｔｈ１の最大値を小さくする。
【００３８】
制御部１２は、スイッチング素子Ｑ１をオフにすると、タイマによるカウントを開始する（ステップＳ４）。そして、制御部１２は、スイッチング素子Ｑ１がオフした時点（ここでは、時刻ｔ１）から第１時間が経過すると（ステップＳ５：Ｙｅｓ）、タイマによるカウントを終了し（ステップＳ６）、整流用スイッチング素子Ｑ２をオンする（ステップＳ７）。ここでは、時刻ｔ２が、時刻ｔ１から第１時間が経過した時点である。
【００３９】
つまり、制御部１２は、スイッチング素子Ｑ１がオフした時点から第１時間が経過するまでの期間である第１期間ＤＴ１においては、スイッチング素子Ｑ１及び整流用スイッチング素子Ｑ２の両方をオフする。言い換えれば、制御部１２は、スイッチング素子Ｑ１がオフした時点を始点とするデッドタイム（第１期間ＤＴ１）をカウントし、カウント終了後に整流用スイッチング素子Ｑ２をオンする。
【００４０】
整流用スイッチング素子Ｑ２がオフ状態からオン状態になると、インダクタＬ１に蓄積されたエネルギーが放出される。そして、インダクタＬ１の第２端、整流用スイッチング素子Ｑ２、出力コンデンサＣ２、入力コンデンサＣ１、インダクタＬ１の第１端を通る経路で電流が流れ始める。このため、インダクタ電流ＩＬ１は、時間経過に伴って減少する。このとき、インダクタ電流ＩＬ１が増加から減少へと転じるため、補助巻線Ｌ２に誘起される誘起電圧ＶＬ２の極性が反転する。ここでは、誘起電圧ＶＬ２の極性は、負極性から正極性に反転する。
【００４１】
その後、インダクタ電流ＩＬ１（整流用スイッチング素子Ｑ２を流れる電流ＩＱ２）が零になると、インダクタＬ１に蓄積されたエネルギーが零になることにより、誘起電圧ＶＬ２の極性が正極性から負極性に反転する（ステップＳ８：Ｙｅｓ）。すると、制御部１２は、整流用スイッチング素子Ｑ２をオフする（ステップＳ９）。そして、制御部１２は、整流用スイッチング素子Ｑ２をオフにすると、タイマによるカウントを開始する（ステップＳ１０）。制御部１２は、誘起電圧ＶＬ２の極性が反転した時点（ここでは、時刻ｔ３）から第２時間が経過すると（ステップＳ１１：Ｙｅｓ）、タイマによるカウントを終了し（ステップＳ１２）、スイッチング素子Ｑ１を再びオンする（ステップＳ１）。ここでは、時刻ｔ４が、時刻ｔ３から第２時間が経過した時点である。
【００４２】
つまり、制御部１２は、整流用スイッチング素子Ｑ２がオフした時点から第２時間が経過するまでの期間である第２期間ＤＴ２においては、スイッチング素子Ｑ１及び整流用スイッチング素子Ｑ２の両方をオフする。言い換えれば、制御部１２は、整流用スイッチング素子Ｑ２がオフした時点を始点とするデッドタイム（第２期間ＤＴ２）をカウントし、カウント終了後にスイッチング素子Ｑ１をオンする。
【００４３】
本実施形態では、第１期間ＤＴ１及び第２期間ＤＴ２の長さは同じである。例えば、第１期間ＤＴ１及び第２期間ＤＴ２の長さは、１００［ｎｓ］〜２００［ｎｓ］である。
【００４４】
制御部１２は、上述のステップＳ１〜Ｓ１２を繰り返すことにより、スイッチング素子Ｑ１及び整流用スイッチング素子Ｑ２を電流臨界モードにて動作させる。電流臨界モードにおけるコンバータ１１の動作周波数は、例えば２５０［ｋＨｚ］〜５００［ｋＨｚ］である。本開示でいう「動作周波数」は、スイッチング素子Ｑ１のオンからオフまでに要する時間、及び整流用スイッチング素子Ｑ２のオンからオフまでに要する時間の和を１周期とみなしたときの周波数である。
【００４５】
以下、本実施形態の電源装置１００の利点について、比較例の電源装置との比較を交えながら説明する。比較例の電源装置は、整流用スイッチング素子Ｑ２の代わりにダイオードを有している点で、本実施形態の電源装置１００と相違する。比較例の電源装置において、ダイオードのアノードは、インダクタＬ１の第２端及びスイッチング素子Ｑ１のドレインに電気的に接続されている。また、比較例の電源装置において、ダイオードのカソードは、出力コンデンサＣ２の高電位側の一端に電気的に接続されている。
【００４６】
比較例の電源装置では、本実施形態の電源装置１００とは異なり、ダイオードに電流が流れることにより、ダイオードにて順方向電圧降下による損失（導通損失）が生じる。この損失は、ダイオードを流れる電流の大きさに比例する。このため、比較例の電源装置を用いた点灯装置では、負荷電流が大きくなる程、つまり光源部３００の点灯に必要な電力が大きくなる程、回路部品（つまり、ダイオード）での損失が大きくなる。
【００４７】
一方、本実施形態の電源装置１００では、スイッチング素子Ｑ１及び整流用スイッチング素子Ｑ２の両方がオンとなるのを防ぎつつ、整流用スイッチング素子Ｑ２をダイオードの代わりに整流素子として機能させることが可能である。つまり、本実施形態では、制御部１２は、ＰＦＣ回路であるコンバータ１１にて、ダイオードの代わりに整流用スイッチング素子Ｑ２を用いた同期整流方式でスイッチング素子Ｑ１及び整流用スイッチング素子Ｑ２を制御している。
【００４８】
ここで、整流用スイッチング素子Ｑ２に電流が流れることにより、整流用スイッチング素子Ｑ２にてオン抵抗に比例する損失（導通損失）が生じる。しかしながら、オン抵抗による損失は、ダイオードの順方向電圧降下による損失と比較して小さい。このため、本実施形態では、比較例の電源装置と比較して、回路部品（ここでは、整流用スイッチング素子Ｑ２）での損失の低減を図りやすい、という利点がある。その結果、本実施形態の電源装置１００を用いた点灯装置２００では、光源部３００の点灯に必要な電力が大きくなっても、回路部品での損失が比較的小さくて済む、という利点がある。言い換えれば、本実施形態の電源装置１００を用いた点灯装置２００は、回路部品での損失を抑えつつ、比較的高い光出力の光源部３００にも適用しやすい、という利点がある。
【００４９】
特に、本実施形態の電源装置１００は、比較例の電源装置におけるダイオードでの損失よりも、整流用スイッチング素子Ｑ２での損失と整流用スイッチング素子Ｑ２の駆動電力との和が小さくなる場合に、回路部品での損失の低減を図りやすい、という利点がある。
【００５０】
（４）照明器具
以下、本実施形態の点灯装置２００を備えた照明器具４００の一例について図４を用いて説明する。図４に示す例では、照明器具４００は、投光器である。照明器具４００は、複数（ここでは、４つ）の光源ユニット４０１と、点灯装置２００と、を備える。複数の光源ユニット４０１の各々は、光源部３００と、放熱部材４０５と、を有している。点灯装置２００は、直方体状のケース４０４に収容されている。また、照明器具４００は、複数の光源ユニット４０１を連結する連結部材４０２と、連結部材４０２を支持するアーム４０３と、を更に備えている。
【００５１】
以上説明した本実施形態の照明器具４００は、点灯装置２００と、点灯装置２００の出力する電力により点灯可能な光源部３００（光源ユニット４０１）と、を備えている。このため、点灯装置２００の回路部品での損失の低減を図りやすく、結果として消費電力を抑えた照明器具４００を実現しやすい、という利点がある。
【００５２】
本実施形態では、照明器具４００は投光器であるが、これに限定する趣旨ではない。例えば、照明器具４００は、天井材に直付けされるベースライトであってもよいし、天井材に埋め込み配置されるベースライトであってもよい。また、照明器具４００は、ベースライトに限らず、例えば、ダウンライト等であってもよい。
【００５３】
（５）変形例
上述の実施形態は、本開示の様々な実施形態の一つに過ぎない。上述の実施形態は、本開示の目的を達成できれば、設計等に応じて種々の変更が可能である。また、制御部１２と同様の機能は、コンピュータプログラム、又はコンピュータプログラムを記録した非一時的記録媒体等で具現化されてもよい。
【００５４】
一態様に係るプログラムは、インダクタＬ１、スイッチング素子Ｑ１、及び整流用スイッチング素子Ｑ２を有するコンバータ１１の制御方法を、コンピュータシステムに実行させるためのプログラムである。インダクタＬ１は、第１端が一対の入力端１ａ，１ｂのうちの一方に電気的に接続される。スイッチング素子Ｑ１は、インダクタＬ１の第２端に電気的に接続される。整流用スイッチング素子Ｑ２は、インダクタＬ１から一対の出力端１ｃ，１ｄへ流れる電流を一方向に制限する機能を有する。制御方法は、スイッチング素子Ｑ１を流れる電流ＩＱ１の大きさが、コンバータ１１の入力電圧Ｖ１の波形に応じて変化する閾値Ｔｈ１以上になると、スイッチング素子Ｑ１をオフする処理を含む。また、制御方法は、スイッチング素子Ｑ１がオンのときに整流用スイッチング素子Ｑ２をオフ、スイッチング素子Ｑ１がオフのときに整流用スイッチング素子Ｑ２をオンする処理を含む。また、制御方法は、第１期間ＤＴ１及び第２期間ＤＴ２の少なくとも一方にて、スイッチング素子Ｑ１及び整流用スイッチング素子Ｑ２の両方をオフする処理を含む。第１期間ＤＴ１は、スイッチング素子Ｑ１がオフした時点から第１時間が経過するまでの期間である。第２期間ＤＴ２は、整流用スイッチング素子Ｑ２がオフした時点から第２時間が経過するまでの期間である。
【００５５】
以下、上述の実施形態の変形例を列挙する。以下に説明する変形例は、適宜組み合わせて適用可能である。
【００５６】
上述の実施形態において、制御部１２は、電流臨界モードではなく電流不連続モードにてスイッチング素子Ｑ１及び整流用スイッチング素子Ｑ２を動作させてもよい。本開示でいう「電流不連続モード」は、インダクタ電流ＩＬ１が零となる期間を意図的に設けるように、スイッチング素子Ｑ１及び整流用スイッチング素子Ｑ２を制御するモードである。
【００５７】
電流不連続モードにおいては、制御部１２は、第２期間ＤＴ２の長さを変化させてスイッチング素子Ｑ１及び整流用スイッチング素子Ｑ２を制御する。例えば、図５に示す例では、制御部１２は、第１期間ＤＴ１（時刻ｔ１１から時刻ｔ１２までの時間）の長さよりも第２期間ＤＴ２（時刻ｔ１３から時刻ｔ１４までの時間）を長くしている。
【００５８】
以下、電流不連続モードでの動作の利点について、電流臨界モードでの動作との比較を交えながら説明する。電流臨界モードでは、整流用スイッチング素子Ｑ２を流れる電流ＩＱ２（つまり、インダクタ電流ＩＬ１）が零になるまでに要する時間（以下、「オフ時間」ともいう）は、出力電圧Ｖ２と入力電圧Ｖ１との差分の大きさに比例する。つまり、出力電圧Ｖ２が小さい程、この差分が小さいことから、オフ時間が短くなる。そして、オフ時間が短くなる程、スイッチング周期（スイッチング素子Ｑ１をオンしてから整流用スイッチング素子Ｑ２をオフするまでの時間）が短くなることから、コンバータ１１の動作周波数が大きくなる。
【００５９】
ここで、コンバータ１１の動作周波数を大きくすると、ノイズが発生しやすくなる、という問題が生じ得る。また、制御部１２の性能の制約上、コンバータ１１の動作周波数を大きくすることにも限界がある、という問題もある。一方、これらの問題が生じないようにコンバータ１１の動作周波数を制限した場合、電流臨界モードでの動作では、光源部３００の光出力を十分に小さくする制御が難しくなる、という別の問題が生じ得る。
【００６０】
一方、電流不連続モードでの動作では、第２期間ＤＴ２の長さを長くすることにより、スイッチング周期を長くする、つまりコンバータ１１の動作周波数を小さくすることが可能である。つまり、電流不連続モードでの動作では、光源部３００の光出力を十分に小さくした場合でも、第２期間ＤＴ２の長さを調整することにより、動作周波数を大きくすることなくコンバータ１１を制御することが可能である、という利点がある。
【００６１】
また、上述の実施形態では、制御部１２は、条件に応じて、スイッチング素子Ｑ１及び整流用スイッチング素子Ｑ２の動作モードを切り替えてもよい。例えば、制御部１２は、コンバータ１１の出力（ここでは、降圧コンバータ１０２の出力電圧Ｖ２）に応じて第２期間ＤＴ２の長さを変化させることで、電流臨界モードと、電流不連続モードとを切り替えてもよい。具体的には、制御部１２は、出力電圧Ｖ２が所定の電圧値を上回っていれば、第２期間ＤＴ２の長さを第１期間ＤＴ１の長さと同じにすることで、スイッチング素子Ｑ１及び整流用スイッチング素子Ｑ２を電流臨界モードで動作させる。一方、制御部１２は、出力電圧Ｖ２が所定の電圧値以下になれば、出力電圧Ｖ２の大きさに応じて第２期間ＤＴ２の長さを第１期間ＤＴ１の長さよりも長くすることで、スイッチング素子Ｑ１及び整流用スイッチング素子Ｑ２を電流不連続モードで動作させる。
【００６２】
上述の実施形態では、制御部１２は、補助巻線Ｌ２に誘起される誘起電圧ＶＬ２に基づいて、スイッチング素子Ｑ１及び整流用スイッチング素子Ｑ２を電流臨界モードで動作させているが、これに限定する趣旨ではない。例えば、制御部１２は、以下に説明する判断処理を実行することにより、図６に示すように補助巻線Ｌ２を備えない電源装置１００においても、スイッチング素子Ｑ１及び整流用スイッチング素子Ｑ２を電流臨界モードで動作させることが可能である。
【００６３】
判断処理は、インダクタＬ１を流れる電流ＩＬ１（整流用スイッチング素子Ｑ２を流れる電流ＩＱ２）が零となるタイミングを判断する処理である。具体的には、制御部１２は、判断処理において、インダクタ電流ＩＬ１、入力電圧Ｖ１、及びコンバータ１１の出力電圧Ｖ３（図６参照）に基づいて、上記タイミングを判断する。
【００６４】
以下、この態様の電源装置１００、主としてコンバータ１１の動作について図７Ａ、図７Ｂ、及び図８を用いて説明する。図７Ａにおいて、一点鎖線は、入力電圧Ｖ１の波形を表している。また、図７Ｂは、図７Ａにおいて破線で囲まれた部分の拡大図である。つまり、コンバータ１１は、インダクタ電流ＩＬ１が正弦波を包絡線とする鋸歯状の波形となるように動作している。
【００６５】
まず、制御部１２は、スイッチング素子Ｑ１をオンすることにより、コンバータ１１の動作を開始する（ステップＳ１３）。このとき、制御部１２は、タイマによるカウントを開始することで、スイッチング素子Ｑ１のオン時間（スイッチング素子Ｑ１がオンからオフになるまでに要する時間）Ｔ１の計測を開始する（ステップＳ１４）。インダクタ電流ＩＬ１（スイッチ電流ＩＱ１）の大きさが閾値Ｔｈ１以上になると（ステップＳ１５：Ｙｅｓ）、制御部１２は、スイッチング素子Ｑ１をオフする（ステップＳ１６）。このとき、制御部１２は、タイマによるカウントを終了し、スイッチング素子Ｑ１のオン時間Ｔ１の計測を終了する（ステップＳ１７）。
【００６６】
そして、制御部１２は、計測により得られたオン時間Ｔ１を用いて、待機時間Ｔ２を演算する（ステップＳ１８）。本開示でいう「待機時間Ｔ２」は、スイッチング素子Ｑ１をオフしてからインダクタ電流ＩＬ１が零になるまでの時間である。つまり、制御部１２は、判断処理において待機時間Ｔ２を演算することにより、インダクタ電流ＩＬ１が零となるタイミングを判断する。
【００６７】
待機時間Ｔ２は、例えば以下の式（１）及び式（２）を用いて演算する。式（１）において、“Ｖ１”はコンバータ１１の入力電圧Ｖ１の電圧値、“Ｔ１”は計測により求めたスイッチング素子Ｑ１のオン時間を表している。また、式（１）において、“Ｌ”は既知のインダクタＬ１のインダクタンス、“Δｉ”はオン時間Ｔ１でのインダクタ電流ＩＬ１（スイッチ電流ＩＱ１）の増加分を表している。また、式（２）において、“Ｖ３”はコンバータ１１の出力電圧Ｖ３の電圧値、“ｉ”はインダクタ電流ＩＬ１（整流用スイッチング素子Ｑ２を流れる電流ＩＱ２）、“Ｔ２”は演算対象である待機時間Ｔ２を表している。
【００６８】
【数１】
2019103182.tif 000003
【００６９】
【数２】
2019103182.tif 000004
【００７０】
制御部１２は、式（１）により、インダクタ電流ＩＬ１（スイッチ電流ＩＱ１）の増加分“Δｉ”を求める。また、制御部１２は、式（２）を“ｉ＝０”について解くことにより、待機時間Ｔ２を求める。そして、制御部１２は、整流用スイッチング素子Ｑ２をオンし（ステップＳ１９）、タイマによるカウントを開始する（ステップＳ２０）。なお、ステップＳ１８は、ステップＳ１９及びステップＳ２０の後に行われてもよい。
【００７１】
制御部１２は、タイマによるカウント時間が待機時間Ｔ２以上になると（ステップＳ２１：Ｙｅｓ）、整流用スイッチング素子Ｑ２をオフし（ステップＳ２２）、タイマによるカウントを終了する（ステップＳ２２）。そして、制御部１２は、スイッチング素子Ｑ１を再びオンする（ステップＳ１３）。制御部１２は、上述のステップＳ１〜Ｓ１２を繰り返すことにより、スイッチング素子Ｑ１及び整流用スイッチング素子Ｑ２を電流臨界モードにて動作させる。
【００７２】
上記の態様では、インダクタ電流ＩＬ１が零になるタイミング、つまりスイッチング素子Ｑ１をオンにするタイミングを検知するための部品（ここでは、補助巻線Ｌ２）が不要になる、という利点がある。結果として、この態様では、部品点数を削減することにより、電源装置１００の小型化を図りやすい、という利点もある。
【００７３】
図８に示す例では、制御部１２は、デッドタイム（第１期間ＤＴ１及び第２期間ＤＴ２）をカウントする制御を行っていないが、デッドタイムをカウントする制御を行ってもよい。つまり、図８に示す例において、制御部１２は、ステップＳ１６〜Ｓ１９の間にて第１期間ＤＴ１をカウントする制御を行い、かつ、ステップＳ２２〜ステップＳ１３の間にて第２期間ＤＴ２をカウントする制御を行ってもよい。
【００７４】
上述の実施形態では、スイッチング素子Ｑ１及び整流用スイッチング素子Ｑ２は、いずれもエンハンスメント型のｎチャネルＭＯＳＦＥＴであるが、これに限定する趣旨ではない。例えば、スイッチング素子Ｑ１及び整流用スイッチング素子Ｑ２のうちいずれか一方がエンハンスメント型のｎチャネルＭＯＳＦＥＴであり、他方が他の半導体スイッチング素子であってもよい。また、スイッチング素子Ｑ１及び整流用スイッチング素子Ｑ２の両方が他の半導体スイッチング素子であってもよい。
【００７５】
上述の実施形態では、制御部１２は、マイクロコンピュータであるが、これに限定する趣旨ではない。例えば、制御部１２は、ＡＳＩＣ（Application Specific Integrated Circuit）等であってもよい。つまり、制御部１２は、１以上のプロセッサによりプログラムを実行するように構成されていればよい。
【００７６】
上述の実施形態では、光源部３００の複数の固体発光素子３１の電気的な接続関係を直列接続としているが、この接続に限らず、例えば、並列接続であってもよいし、直列接続と並列接続とを組み合わせた接続であってもよい。また、上述の実施形態では、固体発光素子３１の数を複数としているが、１つであってもよい。さらに、上述の実施形態では、固体発光素子３１としてＬＥＤを用いているが、これに限らず、例えば、半導体レーザ素子、有機エレクトロルミネッセンス素子等を用いてもよい。また、上述の実施形態では、複数の固体発光素子３１の各々の発光色を白色としているが、白色以外の色であってもよい。
【００７７】
本開示における電源装置１００は、例えば、制御部１２等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における電源装置１００としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００７８】
（まとめ）
以上述べたように、第１の態様に係る電源装置（１００）は、コンバータ（１１）と、制御部（１２）と、を備える。コンバータ（１１）は、インダクタ（Ｌ１）、スイッチング素子（Ｑ１）、及び整流用スイッチング素子（Ｑ２）を有する。インダクタ（Ｌ１）は、第１端が一対の入力端（１ａ，１ｂ）のうちの一方に電気的に接続される。スイッチング素子（Ｑ１）は、インダクタ（Ｌ１）の第２端と一対の入力端（１ａ，１ｂ）のうちの他方との間に電気的に接続される。整流用スイッチング素子（Ｑ２）は、インダクタ（Ｌ１）から一対の出力端（１ｃ，１ｄ）へ流れる電流を一方向に制限する機能を有する。制御部（１２）は、スイッチング素子（Ｑ１）及び整流用スイッチング素子（Ｑ２）を制御する。制御部（１２）は、スイッチング素子（Ｑ１）を流れる電流（ＩＱ１）の大きさが、コンバータ（１１）の入力電圧（Ｖ１）の波形に応じて変化する閾値（Ｔｈ１）以上になると、スイッチング素子（Ｑ１）をオフする。また、制御部（１２）は、スイッチング素子（Ｑ１）がオンのときに整流用スイッチング素子（Ｑ２）をオフ、スイッチング素子（Ｑ１）がオフのときに整流用スイッチング素子（Ｑ２）をオンする。また、制御部（１２）は、第１期間（ＤＴ１）及び第２期間（ＤＴ２）の少なくとも一方にて、スイッチング素子（Ｑ１）及び整流用スイッチング素子（Ｑ２）の両方をオフする。第１期間（ＤＴ１）は、スイッチング素子（Ｑ１）がオフした時点から第１時間が経過するまでの期間である。第２期間（ＤＴ２）は、整流用スイッチング素子（Ｑ２）がオフした時点から第２時間が経過するまでの期間である。
【００７９】
この態様によれば、回路部品（整流用スイッチング素子（Ｑ２））での損失の低減を図りやすい、という利点がある。
【００８０】
第２の態様に係る電源装置（１００）では、第１の態様において、制御部（１２）は、第２期間（ＤＴ２）の長さを変化させてスイッチング素子（Ｑ１）及び整流用スイッチング素子（Ｑ２）を制御するモードを有する。
【００８１】
この態様によれば、コンバータ（１１）の動作周波数を変化させることなくコンバータ（１１）を制御することが可能になる、という利点がある。
【００８２】
第３の態様に係る電源装置（１００）では、第２の態様において、制御部（１２）は、上記モードにおいて、コンバータ（１１）の出力（ここでは、降圧コンバータ（１０２）の出力電圧（Ｖ２））に応じて第２期間（ＤＴ２）の長さを変化させる。
【００８３】
この態様によれば、コンバータ（１１）の出力に応じて、適切な動作モードでスイッチング素子（Ｑ１）及び整流用スイッチング素子（Ｑ２）を制御しやすい、という利点がある。
【００８４】
第４の態様に係る電源装置（１００）では、第１〜第３のいずれかの態様において、制御部（１２）は、インダクタ（Ｌ１）を流れる電流（ＩＬ１）が零となるタイミングを判断する判断処理を実行する。
【００８５】
この態様によれば、インダクタ（Ｌ１）を流れる電流（ＩＬ１）が零になるタイミングを検知するための部品（ここでは、補助巻線（Ｌ２））が不要になる、という利点がある。
【００８６】
第５の態様に係る点灯装置（２００）は、第１〜第４のいずれかの態様の電源装置（１００）を有し、固体発光素子（３１）を有する光源部（３００）を点灯させるための電力を出力する。
【００８７】
この態様によれば、回路部品（整流用スイッチング素子（Ｑ２））での損失の低減を図りやすい、という利点がある。
【００８８】
第６の態様に係る照明器具（４００）は、第５の態様の点灯装置（２００）と、光源部（３００）と、を備える。光源部（３００）は、点灯装置（２００）の出力する電力により点灯可能である。
【００８９】
この態様によれば、回路部品（整流用スイッチング素子（Ｑ２））での損失の低減を図りやすい、という利点がある。
【００９０】
第７の態様に係るプログラムは、インダクタ（Ｌ１）、スイッチング素子（Ｑ１）、及び整流用スイッチング素子（Ｑ２）を有するコンバータ（１１）の制御方法を、コンピュータシステムに実行させるためのプログラムである。インダクタ（Ｌ１）は、第１端が一対の入力端（１ａ，１ｂ）のうちの一方に電気的に接続される。スイッチング素子（Ｑ１）は、インダクタ（Ｌ１）の第２端と一対の入力端（１ａ，１ｂ）のうちの他方との間に電気的に接続される。整流用スイッチング素子（Ｑ２）は、インダクタ（Ｌ１）から一対の出力端（１ｃ，１ｄ）へ流れる電流を一方向に制限する機能を有する。制御方法は、スイッチング素子（Ｑ１）を流れる電流（ＩＱ１）の大きさが、コンバータ（１１）の入力電圧（Ｖ１）の波形に応じて変化する閾値（Ｔｈ１）以上になると、スイッチング素子（Ｑ１）をオフする処理を含む。また、制御方法は、スイッチング素子（Ｑ１）がオンのときに整流用スイッチング素子（Ｑ２）をオフ、スイッチング素子（Ｑ１）がオフのときに整流用スイッチング素子（Ｑ２）をオンする処理を含む。また、制御方法は、第１期間（ＤＴ１）及び第２期間（ＤＴ２）の少なくとも一方にて、スイッチング素子（Ｑ１）及び整流用スイッチング素子（Ｑ２）の両方をオフする処理を含む。第１期間（ＤＴ１）は、スイッチング素子（Ｑ１）がオフした時点から第１時間が経過するまでの期間である。第２期間（ＤＴ２）は、整流用スイッチング素子（Ｑ２）がオフした時点から第２時間が経過するまでの期間である。
【００９１】
この態様によれば、回路部品（整流用スイッチング素子（Ｑ２））での損失の低減を図りやすい、という利点がある。
【００９２】
第２〜第４の態様に係る構成については、電源装置（１００）に必須の構成ではなく、適宜省略可能である。
【符号の説明】
【００９３】
１００  電源装置
１ａ，１ｂ  一対の入力端
１ｃ，１ｄ  一対の出力端
１１  コンバータ
１２  制御部
ＩＬ１  インダクタを流れる電流
ＩＱ１  スイッチング素子を流れる電流
ＤＴ１  第１期間
ＤＴ２  第２期間
Ｌ１  インダクタ
Ｑ１  スイッチング素子
Ｑ２  整流用スイッチング素子
Ｔｈ１  閾値
２００  点灯装置
３００  光源部
３１  固体発光素子
４００  照明器具
【図１】
2019103182.tif 000005
【図２】
2019103182.tif 000006
【図３】
2019103182.tif 000007
【図４】
2019103182.tif 000008
【図５】
2019103182.tif 000009
【図６】
2019103182.tif 000010
【図７】
2019103182.tif 000011
【図８】
2019103182.tif 000012